【手続補正書】
【提出日】平成19年1月25日(2007.1.25)
【手続補正１】
【補正対象書類名】明細書
【補正対象項目名】発明の名称
【補正方法】変更
【補正の内容】
【発明の名称】フィルター切り替え装置および光学機器
【手続補正２】
【補正対象書類名】明細書
【補正対象項目名】特許請求の範囲
【補正方法】変更
【補正の内容】
【特許請求の範囲】
【請求項１】
光軸方向における異なる位置に配置され、第１および第２のフィルターをそれぞれ有する第１および第２のフィルター枠と、
光路に対する前記第１および第２のフィルター枠の進退状態を変化させる切り替え手段とを有し、
前記切り替え手段は、前記第１および第２のフィルター枠が光路から退避した状態と、前記第１のフィルター枠が光路内に進入した状態と、少なくとも前記第２のフィルター枠が光路内に進入した状態とを切り替えることを特徴とするフィルター切り替え装置。
【請求項２】
前記切り替え手段は、
前記第１および第２のフィルター枠を互いに相反する方向に付勢し、前記第１のフィルター枠を光路内に向けて付勢するバネ部材と、
前記第１および第２のフィルター枠と係合して、前記第１および第２のフィルター枠を光路に対して選択的に進退させる操作部材とを有することを特徴とする請求項１に記載のフィルター切り替え装置。
【請求項３】
前記操作部材は、
前記第１のフィルター枠と係合して、前記第１のフィルター枠を光路から退避させた位置で保持するための保持部と、
前記第１のフィルター枠と係合し、前記バネ部材の付勢力に抗して前記第１のフィルター枠を光路から退避させる第１の係合部と、
前記第２のフィルター枠と係合し、前記バネ部材の付勢力に抗して前記第２のフィルター枠を光路内に移動させる第２の係合部とを有することを特徴とする請求項２に記載のフィルター切り替え装置。
【請求項４】
前記操作部材は、
前記第１および第２のフィルター枠が光路から退避している状態において、一方向への回動により、前記バネ部材の付勢力を用いて前記第１のフィルター枠を光路内に移動させ、
更なる同一方向への回動により、前記第１の係合部を介して前記第１のフィルター枠を光路から退避させるとともに、前記第２の係合部を介して前記第２のフィルター枠を光路内に移動させることを特徴とする請求項３に記載のフィルター切り替え装置。
【請求項５】
前記操作部材は、
前記第１のフィルター枠と係合して、前記第１のフィルター枠を光路から退避させた位置で保持するための保持部と、
前記第２のフィルター枠と係合し、前記バネ部材の付勢力に抗して前記第２のフィルター枠を光路内に移動させる係合部とを有することを特徴とする請求項２に記載のフィルター切り替え装置。
【請求項６】
前記操作部材は、
前記第１および第２のフィルター枠が光路から退避している状態において、一方向への回動により、前記バネ部材の付勢力を用いて前記第１のフィルター枠を光路内に移動させ、
更なる同一方向への回動により、前記係合部を介して前記第２のフィルター枠を光路内に移動させることを特徴とする請求項５に記載のフィルター切り替え装置。
【請求項７】
前記切り替え手段は、
前記第１のフィルター枠に当接し、回動によって光路に対する前記第１のフィルター枠の進退状態を変化させる第１のカム部材と、
前記第２のフィルター枠に当接し、回動によって光路に対する前記第２のフィルター枠の進退状態を変化させる第２のカム部材とを有することを特徴とする請求項１に記載のフィルター切り替え装置。
【請求項８】
前記切り替え手段は、前記第１および第２のカム部材を回動させる駆動源を有しており、
前記第１および第２のフィルター枠が光路から退避した状態において、前記駆動源を一方向に駆動することにより、前記第１のフィルター枠を光路内に移動させ、更に同一方向に前記駆動源を駆動することにより、少なくとも第２のフィルター枠を光路内に移動させることを特徴とする請求項７に記載のフィルター切り替え装置。
【請求項９】
少なくとも前記第２のフィルター枠が光路内に進入した状態において、更に同一方向に前記駆動源を駆動することにより、前記第１および第２のフィルター枠を光路から退避させることを特徴とする請求項８に記載のフィルター切り替え装置。
【請求項１０】
前記切り替え手段は、前記第１および第２のカム部材を回動させるために操作されるダイアルを有しており、
前記第１および第２のフィルター枠が光路から退避した状態において、前記ダイアルを一方向に操作することにより、前記第１のフィルター枠を光路内に移動させ、更に同一方向に前記ダイアルを操作することにより、少なくとも第２のフィルター枠を光路内に移動させることを特徴とする請求項７に記載のフィルター切り替え装置。
【請求項１１】
前記第１および第２のフィルターは、ＮＤフィルターであることを特徴とする請求項１から１０のいずれか一つに記載のフィルター切り替え装置。
【請求項１２】
前記第１および第２のフィルターは、濃度が互いに異なることを特徴とする請求項１１に記載のフィルター切り替え装置。
【請求項１３】
請求項１から１２のいずれか一つに記載のフィルター切り替え装置を備えたことを特徴とする光学機器。
【手続補正３】
【補正対象書類名】明細書
【補正対象項目名】０００１
【補正方法】変更
【補正の内容】
【０００１】
【発明の属する技術分野】
本発明は、光学機器としてのビデオカメラ等の撮像装置において、光量調整のために光路中に出し入れされるＮＤフィルター等のフィルターの切り替え装置に関するもので、特に、複数の異なる濃度のフィルターを光路に対して選択的に切り替える切り替え装置に関する。
【手続補正４】
【補正対象書類名】明細書
【補正対象項目名】００２８
【補正方法】変更
【補正の内容】
【００２８】
本出願に係る発明は、第１および第２のフィルター枠を選択的に切り替え移動させるフィルター切り替え装置および光学機器の小型化を図ることを目的とするものである。
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】変更
【補正の内容】
【００３０】
本出願に係る発明の目的を実現するフィルター切り替え装置は、光軸方向における異なる位置に配置され、第１および第２のフィルターをそれぞれ有する第１および第２のフィルター枠と、光路に対する第１および第２のフィルター枠の進退状態を変化させる切り替え手段とを有し、切り替え手段は、第１および第２のフィルター枠が光路から退避した状態と、第１のフィルター枠が光路内に進入した状態と、少なくとも第２のフィルター枠が光路内に進入した状態とを切り替えることを特徴とする。
【手続補正７】
【補正対象書類名】明細書
【補正対象項目名】００３１
【補正方法】変更
【補正の内容】
【００３１】
本出願に係る発明の目的を実現する光学機器は、上記フィルター切り替え装置を有することを特徴とする。
【手続補正８】
【補正対象書類名】明細書
【補正対象項目名】００３３
【補正方法】変更
【補正の内容】
【００３３】
１は第１のフィルター枠、２は第２のフィルター枠、３はフィルター切り替えレバー（操作部材）、４はフィルター切り替えレバー３の回転中心をなす支軸である。
【手続補正９】
【補正対象書類名】明細書
【補正対象項目名】００３４
【補正方法】変更
【補正の内容】
【００３４】
第１のフィルター枠１と第２のフィルター枠２は、図３および図４に示すように、双方ともレバー部１ｃ，２ｃの先端部にフィルターを取り付ける枠部１ｄ，２ｄが形成されており、第１のフィルター枠１と第２のフィルター枠２の各レバー部の基端部が回転中心をなす支軸２０に回転可能に取り付けられており、第１のフィルター枠１と第２のフィルター枠２の共通の回転中心をなす支軸２０は不図示の固定用部材に取り付けられている。
【手続補正１０】
【補正対象書類名】明細書
【補正対象項目名】００３８
【補正方法】変更
【補正の内容】
【００３８】
また、第１のフィルター枠１の退避位置から使用位置への移動は、第１のフィルター枠１を該退避位置に保持するための係合を解除することにより、ばね１７のばね力により行われる。
【手続補正１１】
【補正対象書類名】明細書
【補正対象項目名】００３９
【補正方法】変更
【補正の内容】
【００３９】
第１のフィルター枠１と第２のフィルター枠２の退避位置から使用位置、および使用位置から退避位置への移動は、本実施の形態では手動操作されるフィルター切り替えレバー３により行っている。
【手続補正１２】
【補正対象書類名】明細書
【補正対象項目名】００４２
【補正方法】変更
【補正の内容】
【００４２】
本実施の形態においては、第１のフィルター枠１を退避位置で保持する必要があるので、曲げ起こし部１ａと反対側のレバー部１ｃに突起部１ｂを形成し、フィルター切り替えレバー３の曲げ部（保持部）７が突起部１ｂの先端に当接（係合）することにより、第１のフィルター枠１の反時計方向の回動を阻止している。その際、第１のフィルター枠１が退避位置に強制的に押し付けられているので、第２のフィルター枠２ががたつくことなく退避位置に保持されることになる。
【手続補正１３】
【補正対象書類名】明細書
【補正対象項目名】００４３
【補正方法】変更
【補正の内容】
【００４３】
フィルター切り替えレバー３の作用腕部５ｂの支軸２０に向かった側には、前記曲げ部７の支軸４の近傍に第１のフィルター枠１の突起部１ｂと当接可能な長さに折り曲げ形成されており、さらに、Ｕ字形状の切欠き部３ａの先端部には、第１のフィルター枠１に代えて第２のフィルター枠２を退避位置から使用位置に移動させる際、第１のフィルター枠１の折り曲げ部１ａと当接して第１のフィルター枠１を使用位置から退避位置に回動させるとともに、第２のフィルター枠２に引っ張られて第１のフィルター枠１が使用位置に戻るのを阻止するための入れ替え用第１の突起部（第１の係合部）１０が先端を幅広く形成されている。
【手続補正１４】
【補正対象書類名】明細書
【補正対象項目名】００４４
【補正方法】変更
【補正の内容】
【００４４】
また、フィルター切り替えレバー３の作用腕部５ｂの支軸２０に向かった側において、曲げ部７と入れ替え用第１の突起部１０との間には、第２のフィルター枠２を第１のフィルター枠１に代えて使用位置に入れ替えるために、第２のフィルター枠２の曲げ起こし部２ａと係合する山形形状の入れ替え用第２の突起部（第２の係合部）９が形成され、入れ替え用第１の突起部１０が第１のフィルター枠１の折り曲げ部１ａと当接するのと略同じタイミングで、第２のフィルター枠２の曲げ起こし部２ａと当接し、第２のフィルター枠２を反時計方向に回動させ、第２のフィルター枠２を第１のフィルター枠１に代えて使用位置に入れ替える。
【手続補正１５】
【補正対象書類名】明細書
【補正対象項目名】００４８
【補正方法】変更
【補正の内容】
【００４８】
図１（Ａ）は光路内にフィルター枠１、２が挿入されていない状態を、（Ｂ）は第１のフィルター枠１が挿入された状態を、（Ｃ）は第１のフィルター枠１が光路から外れ、第２のフィルター枠２が光路内に挿入された状態を示している。
【手続補正１６】
【補正対象書類名】明細書
【補正対象項目名】００５６
【補正方法】変更
【補正の内容】
【００５６】
すなわち、第１のフィルター枠１の折り曲げ部１ａはバネ１７の一端部との係合のためにそのままとし、フィルター入れ替え用レバー３の作動腕部５ｂに形成した先端部の入れ替え用第１の突起部１０を本実施の形態では廃止し、作動腕部５ｂには入れ替え用第２の突起部（係合部）９のみを残したものである。
【手続補正１７】
【補正対象書類名】明細書
【補正対象項目名】００６１
【補正方法】変更
【補正の内容】
【００６１】
また、モーター本体３４の出力軸３３に設けたギア３２をこの切り替えレバーに設けたギア部３０とかみ合わせ、モーターを回動させることで順次フィルターの状態を変更出来るものである。
【手続補正１８】
【補正対象書類名】明細書
【補正対象項目名】００６６
【補正方法】変更
【補正の内容】
【００６６】
そこで、ここではこの寸法を見越して、隣り合ったＮＤフィルター間の寸法を０．５ｍｍ〜１．５ｍｍの間の値に設定するものである。
【手続補正１９】
【補正対象書類名】明細書
【補正対象項目名】００６９
【補正方法】変更
【補正の内容】
【００６９】
図２は図１で示したフィルター切り替え構造を実際のレンズ内に配置した図であり、フィルター１５と１６の間に間隙を設けるものである。
【手続補正２０】
【補正対象書類名】明細書
【補正対象項目名】００８４
【補正方法】変更
【補正の内容】
【００８４】
また、このフィルター切り替えスイッチは、第１の実施の形態のような機械的連動の場合にはその配置位置が限定されてくるが、本実施の形態の場合は、フレキシブル基板もしくはリード線を介してマイクロコンピュータへフィルターの切り替えに関する情報を伝達すれば良いので、配置の自由度が増すものである。
【手続補正２１】
【補正対象書類名】明細書
【補正対象項目名】００８８
【補正方法】変更
【補正の内容】
【００８８】
図１１において、２つのカム７３，７４がギア７７と一体的に回転中心２５１の回りに回転することにより、カム７３が第１のフィルター枠１の状態を、カム７４が第２のフィルター枠２の状態を定めており、それぞれの前記フィルター枠は、フィルター枠の回転中心（支軸２０の回転中心）の回りにフィルター枠が光路から外れる方向へバネ２６１で付勢されている。
【手続補正２２】
【補正対象書類名】図面
【補正対象項目名】図７
【補正方法】変更
【補正の内容】
【図７】
2000305150.tif 000001
【手続補正２３】
【補正対象書類名】図面
【補正対象項目名】図９
【補正方法】変更
【補正の内容】
【図９】
2000305150.tif 000002